(57)【要約】【課題】アイコンを簡単かつ確実にカスタマイズすることができる携帯情報端末を提供する。【解決手段】本発明に係る携帯情報端末１は、アイコンを各種機能に対応させて表示するものであって、各種機能に対応した基本アイコン１１２と該基本アイコン１１２を装飾するための装飾用アイコン１１３とを記憶している記憶部１１と、記憶部に記憶されている装飾アイコン１１３を選択し、また、該装飾用アイコン１１３を基本アイコン１１２に対して上方側から重ねて合成アイコン１１４を生成する制御部１４と、合成アイコン１１４を表示する表示部１３１とを備えることを特徴とする。本携帯情報端末１によれば、基本アイコン１１２に対して、装飾用アイコンを上方側から重ねて合成アイコン１１４を生成するため、アイコンを簡単かつ確実にカスタマイズすることができる。【選択図】図３
2013186525.tif 000002
【特許請求の範囲】
【請求項１】
アイコンを各種機能に対応させて表示する携帯情報端末であって、
各種機能に対応した基本アイコンと該基本アイコンを装飾するための装飾用アイコンとを記憶する記憶手段と、
前記記憶手段に記憶されている装飾用アイコンを選択するアイコン選択手段と、
前記基本アイコンに対して、前記アイコン選択手段により選択された前記装飾用アイコンを上方側または下方側の少なくとも一方側から重ねて合成アイコンを生成するアイコン合成手段と、
前記合成アイコンを表示する表示手段とを備えることを特徴とする携帯情報端末。
【請求項２】
前記装飾用アイコンは第１の装飾用アイコンと第２の装飾用アイコンを備え、
前記アイコン合成手段は、前記基本アイコンに対して前記第１の装飾用アイコンを下方側から重ねると共に、前記基本アイコンに前記第２の装飾用アイコンを上方側から重ねることにより前記合成アイコンを生成する請求項１に記載の携帯情報端末。
【請求項３】
前記記憶手段は、前記表示手段に表示される背景画像を記憶するとともに、該背景画像と前記装飾用アイコンとを関連付けて管理する管理テーブルを記憶しており、
前記アイコン選択手段は、前記表示手段に表示されている背景画像を認識し、前記管理テーブルに基づいて該背景画像に関連付けられた前記装飾用アイコンを選択する請求項１または請求項２に記載の携帯情報端末。
【請求項４】
前記アイコン合成手段は、前記装飾用アイコンの表示サイズに応じて前記基本アイコンの表示サイズを変更する請求項１ないし請求項３のいずれかに記載の携帯情報端末。
【請求項５】
前記アイコン合成手段は、互いの中心をずらす態様で前記基本アイコンに前記装飾用アイコンを重ねて前記合成アイコンを生成する請求項１ないし請求項４のいずれかに記載の携帯情報端末。
【発明の詳細な説明】
【技術分野】
【０００１】
本発明は、アイコンを各種機能に対応させて表示する携帯情報端末に関するものである。
【背景技術】
【０００２】
従来より、携帯電話機やＰＤＡ（Ｐｅｒｓｏｎａｌ  Ｄｉｇｉｔａｌ  Ａｓｓｉｓｔａｎｔ）が普及しており、最近では携帯電話機およびＰＤＡが有する機能を併せ持ついわゆるスマートフォン等も広く普及している。
【０００３】
これら携帯電話機、ＰＤＡ、スマートフォン等の携帯情報端末は、該携帯情報端末内の種々の情報を表示可能な表示部が設けられている。この表示部は、各メニューや各種機能を示すアイコン等を所定の表示領域内に表示するものであり、該表示部に表示するアイコンには各種設定を変更する等の基本的なメニューを示すアイコンや各種機能を実行するアプリケーションソフト（以下、アプリという）を示すアイコン等が備えられている（特許文献１）。このアイコンは、通常、初期状態において各携帯情報端末ごとにあるいは各アプリごとにデザインが固定化されているものが多い。
【０００４】
ところで、最近では上述のアイコンをカスタマイズしたいという要請が強くなってきている。例えば、一般的な携帯情報端末は、所望の画像を背景画像に設定し得るため、該背景画像の雰囲気に適したアイコンのデザインにカスタマイズしたい等である。これに対して、従来の携帯情報端末は、アイコンをカスタマイズすることは不可能ではない。
【０００５】
具体的には、例えば、各メニューや各アプリごとにデザインが固定化されている初期状態のアイコン（基本アイコン）と、その基本アイコンとは別に該基本アイコンに装飾を施したアイコン（合成アイコン）とを記憶部に記憶しておく等して予め用意しておく。そして、表示部において基本アイコンに代えて合成アイコンを表示することにより、基本アイコンから合成アイコンへと変更（カスタマイズ）することが可能となる。
【先行技術文献】
【特許文献】
【０００６】
【特許文献１】特開２０１１−２０９８２４号公報
【発明の概要】
【発明が解決しようとする課題】
【０００７】
しかしながら、上記のようにアイコンをカスタマイズするには、基本アイコンに対してデザイナー等が合成アイコンを生成する等して予め用意しておかなければならない。また、一般には基本アイコンは複数存在しているが、それら各基本アイコンごとに合成アイコンを予め用意しなければならない。さらに、一つの基本アイコンに対して複数の装飾パターンの合成アイコンを予め用意するとなると、合成アイコンの数が膨大になってしまう。特に最近では次々とアプリがインストールされ、それに応じて基本アイコンの種類も多くなっているが、各基本アイコンごとに複数種類の合成アイコンを予め用意することは困難であり、携帯情報端末におけるアイコンのカスタマイズは現実的ではなかった。
【０００８】
本発明は、上述の問題に鑑みてなされたものであって、アイコンを簡単かつ確実にカスタマイズすることができる携帯情報端末を提供することを目的とする。
【課題を解決するための手段】
【０００９】
本発明に係る携帯情報端末は、アイコンを各種機能に対応させて表示するものであって、上記目的を達成するために、各種機能に対応した基本アイコンと該基本アイコンを装飾するための装飾用アイコンとを記憶する記憶手段と、前記記憶手段に記憶されている装飾用アイコンを選択するアイコン選択手段と、前記基本アイコンに対して、前記アイコン選択手段により選択された前記装飾用アイコンを上方側または下方側の少なくとも一方側から重ねて合成アイコンを生成するアイコン合成手段と、前記合成アイコンを表示する表示手段とを備えることを特徴とする。
【００１０】
これによれば、基本アイコンに対してアイコン選択手段により選択された装飾用アイコンを上方側または下方側の少なくとも一方側から重ねて合成アイコンを生成するため、アイコンを簡単かつ確実にカスタマイズすることができる。
【００１１】
また、前記装飾用アイコンは第１の装飾用アイコンと第２の装飾用アイコンを備え、前記アイコン合成手段は、前記基本アイコンに対して前記第１の装飾用アイコンを下方側から重ねると共に、前記基本アイコンに前記第２の装飾用アイコンを上方側から重ねることにより前記合成アイコンを生成するものであってもよい。これによれば、基本アイコンに対して下方側および上方側の両側から装飾が施されるため、奥行きがある立体的な合成アイコンを生成することができる。
【００１２】
また、前記記憶手段は、前記表示手段に表示される背景画像を記憶するとともに、該背景画像と前記装飾用アイコンとを関連付けて管理する管理テーブルを記憶しており、前記アイコン選択手段は、前記表示手段に表示されている背景画像を認識し、前記管理テーブルに基づいて該背景画像に関連付けられた前記装飾用アイコンを選択するものであってもよい。これによれば、背景画像に関連付けられた装飾用アイコンを用いて合成アイコンが生成されるため、背景画像に連動した合成アイコンによってアイコンをカスタマイズすることができる。
【００１３】
また、前記アイコン合成手段は、前記装飾用アイコンの表示サイズに応じて前記基本アイコンの表示サイズを変更するものであってもよい。これによれば、装飾用アイコンの表示サイズによって基本アイコンの表示サイズが変更されるため、デザイン的にバランスがよい合成アイコンを生成することができる。
【００１４】
また、前記アイコン合成手段は、互いの中心をずらす態様で前記基本アイコンに前記装飾用アイコンを重ねて前記合成アイコンを生成するものであってもよい。これによれば、互いの中心がずれた状態で合成アイコンが生成されるため、装飾アイコンの装飾性を活かした合成アイコンによってアイコンをカスタマイズすることができる。
【発明の効果】
【００１５】
本発明によれば、基本アイコンに対して、アイコン選択手段により選択された装飾用アイコンを上方側または下方側の少なくとも一方側から重ねて合成アイコンを生成するため、アイコンを簡単かつ確実にカスタマイズすることができる。
【００１６】
このため、従来のようにデザイナー等が合成アイコンを生成するなどして予め用意する必要がなくなり、ユーザの希望に応じて携帯情報端末上でアイコンをカスタマイズすることが可能になる。また、基本アイコンが複数存在していても、それら各基本アイコンごとに合成アイコンを予め用意する必要がなくなる。さらに、一つの基本アイコンに対して複数の装飾パターンの合成アイコンを予め用意する必要がなくなり、合成アイコンの数が膨大になることを防止できる。さらにまた、携帯情報端末に次々とアプリがインストールされ、それに応じて基本アイコンの種類が多くなっても、各基本アイコンごとに複数種類の合成アイコンを予め用意する必要がなくなり、携帯情報端末におけるアイコンのカスタマイズが現実的に可能になる。
【図面の簡単な説明】
【００１７】
【図１】第１の実施形態に係る携帯情報端末の構成を示すブロック図である。
【図２】アイコン画像の設定の際の表示部を示す図である。
【図３】合成アイコンの生成に関する概念図である。
【図４】（ａ）アイコンをカスタマイズしていない場合の表示部、および（ｂ）アイコンをカスタマイズした場合の表示部を示す図である。
【図５】（ａ）第２の実施形態に係る合成アイコンの生成に関する概念図、および（ｂ）アイコンをカスタマイズした場合の表示部を示す図である。
【図６】（ａ）第３の実施形態に係る合成アイコンの生成に関する概念図、および（ｂ）アイコンをカスタマイズした場合の表示部を示す図である。
【図７】（ａ）第４の実施形態に係る合成アイコンの生成に関する概念図、および（ｂ）アイコンをカスタマイズした場合の表示部を示す図である。
【図８】（ａ）第５の実施形態に係る合成アイコンの生成に関する概念図、および（ｂ）アイコンをカスタマイズした場合の表示部を示す図である。
【図９】（ａ）第６の実施形態に係る携帯情報端末の構成を示すブロック図、および（ｂ）背景画像および装飾用アイコンに係る管理テーブルを示す図である。
【発明を実施するための形態】
【００１８】
＜第１の実施形態＞
次に、本発明に係る携帯情報端末の第１の実施形態について図１〜図４を参照しつつ説明する。
【００１９】
本実施形態の携帯情報端末（以下、本端末という）１は、携帯電話機とＰＤＡ（Ｐｅｒｓｏｎａｌ  Ｄｉｇｉｔａｌ  Ａｓｓｉｓｔａｎｔ）との機能を併せ持ついわゆるスマートフォンである。本端末１は、図１に示すように、種々の情報を記憶している記憶部１１と、他の端末との通信を可能にさせる通信部１２と、本端末１内の情報を出力するとともに所有者に情報を入力させる入出力部１３と、本端末１内の各構成の動作を制御する制御部１４とを備えている。なお、図１における矢印は各構成間で送受信される電気的な信号の流れを示している。
【００２０】
前記記憶部１１は、本端末１が携帯電話機としての機能を実行するための動作プログラムと、ＰＤＡとしての機能を実行するための動作プログラムとを記憶しているとともに、複数のアイコンを重ねて合成アイコン１１４を生成するための動作プログラムを備えるアイコン合成アプリ１１１を記憶している。また、記憶部１１は、その他の各種機能を実行するための種々のアプリケーション（以下、アプリという）も記憶している。
【００２１】
また、上記記憶部１１は、各種機能に対応した基本アイコン１１２を記憶している。この基本アイコン１１２は、後述の表示部１３１において表示される既定の表示サイズでそれぞれ形成され、デザインが固定化された初期状態のアイコンのことである。
【００２２】
また、この記憶部１１は、基本アイコン１１２を装飾するための装飾用アイコン１１３を記憶している。この装飾用アイコン１１３とは、上記基本アイコン１１２と同様、既定の表示サイズで形成されたアイコンのことである。該装飾用アイコン１１３は一ないし複数種類の装飾パターンの装飾用アイコン１１３を備えており、本実施形態では泡型装飾用アイコン１１３ａを備える（図３参照）。
【００２３】
前記通信部１２は、電話回線およびインターネット等の通信回線と無線によって適宜接続することが可能である。これにより、本端末１は、携帯電話機として電話回線を介して発信および着信が可能であるとともに、ＰＤＡとしてインターネットを介して情報の送信および受信が可能である。
【００２４】
前記入出力部１３は、本端末１内の種々の情報を表示する表示部１３１を備えており、図４（ａ）に示すように、該表示部１３１において本端末１が有する各種機能に対応したアイコンや通信部１２を介して受信した情報等を表示する。この表示部１３１は、所定の表示領域を有するタッチパネル式の液晶ディスプレイであり、該液晶ディスプレイがタッチ等されることによって情報の入力が可能である。このため、例えば、所有者が表示部１３１に表示されたアイコンをタッチすることにより、該アイコンに対応する機能が実行される。
【００２５】
前記制御部１４は、本端末１が有する各構成の動作を統括的に制御する。このため、制御部１４は、入出力部１３を介して情報が入力される等によって、該情報等に応じて記憶部１１に適宜アクセスし、各種の動作プログラムを読み出して、該動作プログラムに基づいて通信部１２、入出力部１３等の動作を制御する。
【００２６】
この制御部１４は、記憶部１１に記憶されているアイコン合成アプリ１１１の動作プログラムに基づいて記憶部１１に記憶されている装飾アイコン１１３を選択する際にはアイコン選択部１４１として作動する。また、複数のアイコンを重ねて合成アイコン１１４を生成する際にはアイコン合成部１４２として作動する。この制御部１４の動作の詳細については、後述の本端末１におけるアイコンのカスタマイズの説明にて説明する。
【００２７】
次に、本端末１におけるアイコンのカスタマイズについて説明する。なお、以下では、便宜上、所有者によって装飾用アイコン１１３には泡型装飾用アイコン１１３ａが選択されるものとして説明する。
【００２８】
まず、制御部１４は、入出力部１３を介して所有者からアイコン画像の設定を受け付ける。ここにいうアイコン画像の設定とは、表示部１３１に表示されるアイコンをカスタマイズするか否かについての設定のことである。図２（ａ）に示すように、表示部１３１において本端末１の各種機能を設定するための「ホーム画面設定」を表示している際、所有者によって「アイコン画像の設定」１３２という項目が選択されると、制御部１４は、図２（ｂ）に示すように、初期状態のままの基本アイコン１１２を表示する「ノーマル」１３２ａか、装飾を施したアイコンを基本アイコン１１２に代えて表示する「カスタム」１３２ｂかを選択させる選択画面を表示する。
【００２９】
所有者により「カスタム」１３２ｂが選択された場合、制御部１４は、記憶部１１に記憶されているアイコン合成アプリ１１１の動作プログラムに基づいて以下のように動作する。
【００３０】
まず、制御部１４は、上述したように、所有者によって装飾用アイコン１１３として泡型装飾用アイコン１１３ａが選択されたことに応じて、記憶部１１に記憶されている装飾アイコン１１３のうちから泡型装飾用アイコン１１３ａを選択する。
【００３１】
次に、制御部１４は、図３に示すように、基本アイコン１１２に対して、装飾アイコン１１３のうちから選択した泡型装飾用アイコン１１３ａを上方側から重ねて合成アイコン１１４ａを生成する。
【００３２】
具体的には、制御部１４は、基本アイコン１１２と泡型装飾用アイコン１１３ａを記憶部１１から読み出す。そして、制御部１４は、泡型装飾用アイコン１１３ａの表示サイズに応じて基本アイコン１１２の表示サイズを変更する。これにより、後述する合成アイコン１１４ａのデザイン的なバランスがよいものとなる。ここでは、制御部１４は、色調データ等から泡型装飾用アイコン１１３ａの最外縁部分を示すデータを検出し、泡型装飾用アイコン１１３ａの最外縁内に位置させ得るように基本アイコン１１２を縮小して、縮小基本アイコン１１２ａを形成する。また、基本アイコン１１２の縮小に際しては、泡型装飾用アイコン１１３ａの表示サイズに対して８０％以上１００％未満の範囲で基本アイコン１１２を縮小する。基本アイコン１１２を８０％未満に縮小すると、基本アイコン１１２が表示部１３１において小さくなり過ぎて視認しにくくなるからである。
【００３３】
次に、制御部１４は、互いの中心を合わせる態様で、縮小基本アイコン１１２ａに泡型装飾用アイコン１１３ａを上方側から重ねて合成アイコン１１４ａを生成する。ここで、泡型装飾用アイコン１１３ａは、下方側に配置される縮小基本アイコン１１２ａが表示部１３１にて表示されるように半透明となる画像処理されているため、縮小基本アイコン１１２ａが泡の中に位置しているような合成アイコン１１４ａを生成することができる。
【００３４】
次に、制御部１４は、各機能に対応した各基本アイコン１１２のそれぞれについて合成アイコン１１４ａを生成する。
【００３５】
このように、合成アイコン１１４ａを生成した後、制御部１４は、図４（ｂ）に示すように、該合成アイコン１１４ａを基本アイコン１１２に代えて表示部１３１に表示する。
【００３６】
以上により、表示部１３１において表示されるアイコンを簡単かつ確実にカスタマイズすることができる。
【００３７】
また一方で、図２（ｂ）に示した選択画面において、所有者により「ノーマル」１３２ａが選択された場合、制御部１４は、図４（ａ）に示すように、表示部１３１において初期状態のままの基本アイコン１１２を表示するため、通常のアイコンを表示することができる。
【００３８】
＜第２の実施形態＞
次に、本発明に係る携帯情報端末の第２の実施形態について図５を参照しつつ説明する。本実施形態では、合成アイコン１１４の生成において上記実施形態と異なる場合について説明する。
【００３９】
なお、以下では、上記実施形態と異なる構成について説明することとし、同一の構成については同一の符号を付し、その説明を省略する。
【００４０】
本実施形態の携帯情報端末（以下、本端末という）２における記憶部１１は、装飾用アイコン１１３としてカメ型装飾アイコン１１３ｂを記憶している。本実施形態では、所有者によって装飾用アイコン１１３に該カメ型装飾用アイコン１１３ｂが選択されるものとして以下説明する。
【００４１】
本端末２において、制御部１４は、所有者によってカメ型装飾用アイコン１１３ｂが選択されたことに応じて、記憶部１１に記憶されている装飾アイコン１１３のうちからカメ型装飾用アイコン１１３ｂを選択する。
【００４２】
次に、制御部１４は、図５（ａ）に示すように、基本アイコン１１２とカメ型装飾アイコン１１３ｂとを記憶部１１から読み出す。そして、制御部１４は、カメ型装飾アイコン１１３ｂの表示サイズに応じて基本アイコン１１２の表示サイズを縮小して、縮小基本アイコン１１２ａを形成する（図示略）。
【００４３】
次に、制御部１４は、カメ型装飾アイコン１１３ｂの右上側に縮小基本アイコン１１２ａが配置されるように互いの中心をずらす態様で、縮小基本アイコン１１２ａにカメ型装飾アイコン１１３ｂを下方側から重ねて合成アイコン１１４ｂを生成する。
【００４４】
次に、制御部１４は、各機能に対応した各基本アイコン１１２のそれぞれについて合成アイコン１１４ｂを生成する。
【００４５】
このように、合成アイコン１１４ｂを生成した後、制御部１４は、図５（ｂ）に示すように、該合成アイコン１１４ｂを基本アイコン１１２に代えて表示部１３１に表示する。
【００４６】
本端末２によれば、基本アイコン１１２に装飾用アイコン１１３（カメ型装飾アイコン１１３ｂ）を下方側から重ねて合成アイコン１１４ｂを生成することができる。また、装飾用アイコン１１３の右上側に縮小基本アイコン１１２ａを配置させた合成アイコン１１４ｂを生成することによって左下のカメの頭部が表示されることとなるため、装飾アイコンの装飾性を活かした合成アイコン１１４ｂによってアイコンをカスタマイズすることができる。
【００４７】
＜第３の実施形態＞
次に、本発明に係る携帯情報端末の第３の実施形態について図６を参照しつつ説明する。本実施形態では、合成アイコン１１４の生成において上記各実施形態と異なる場合について説明する。
【００４８】
なお、以下では、上記各実施形態と異なる構成について説明することとし、同一の構成については同一の符号を付し、その説明を省略する。
【００４９】
本実施形態の携帯情報端末（以下、本端末という）３における記憶部１１は、装飾用アイコン１１３としてハート型装飾アイコン１１３ｃを記憶している。本実施形態では、所有者によって装飾用アイコン１１３に該ハート型装飾用アイコン１１３ｃが選択されるものとして以下説明する。
【００５０】
本端末３において、制御部１４は、所有者によって装飾用アイコン１１３としてハート型装飾用アイコン１１３ｃが選択されたことに応じて、記憶部１１に記憶されている装飾アイコン１１３のうちからハート型装飾用アイコン１１３ｃを選択する。
【００５１】
次に、制御部１４は、図６（ａ）に示すように、基本アイコン１１２とハート型装飾アイコン１１３ｃとを記憶部１１から読み出す。そして、制御部１４は、ハート型装飾アイコン１１３ｃの表示サイズに応じて基本アイコン１１２の表示サイズを縮小し、縮小基本アイコン１１２ａを形成する（図示略）。
【００５２】
次に、制御部１４は、ハート型装飾アイコン１１３ｃの右下側に縮小基本アイコン１１２ａが配置されるように互いの中心をずらす態様で、縮小基本アイコン１１２ａにハート型装飾アイコン１１３ｃを下方側から重ねて合成アイコン１１４ｃを生成する。
【００５３】
次に、制御部１４は、各機能に対応した各基本アイコン１１２のそれぞれについて合成アイコン１１４ｃを生成する。
【００５４】
このように、合成アイコン１１４ｃを生成した後、制御部１４は、図６（ｂ）に示すように、該合成アイコン１１４ｃを基本アイコン１１２に代えて表示部１３１に表示する。
【００５５】
本端末３によれば、装飾用アイコン１１３（ハート型装飾アイコン１１３ｃ）に対して縮小基本アイコン１１２ａを右下側に配置させる場合であっても、装飾アイコン１１３の装飾性を活かした合成アイコン１１４ｃによってアイコンをカスタマイズすることができる。
【００５６】
＜第４の実施形態＞
次に、本発明に係る携帯情報端末の第４の実施形態について図７を参照しつつ説明する。本実施形態では、合成アイコン１１４の生成において上記各実施形態と異なる場合について説明する。
【００５７】
なお、以下では、上記各実施形態と異なる構成について説明することとし、同一の構成については同一の符号を付し、その説明を省略する。
【００５８】
本実施形態の携帯情報端末（以下、本端末という）４における記憶部１１は、装飾用アイコン１１３としてチェーン型装飾アイコン１１３ｄを記憶している。このチェーン型装飾アイコン１１３ｄは、基本アイコン１１２に対して下方側から重ねられる下側装飾用アイコン２１３ｄと、基本アイコン１１２に対して上方側から重ねられる上側装飾用アイコン３１３ｄとを備えている。本実施形態では、所有者によって装飾用アイコン１１３に該チェーン型装飾用アイコン１１３ｄが選択されるものとして以下説明する。
【００５９】
本端末４において、制御部１４は、所有者によって装飾用アイコン１１３としてチェーン型装飾用アイコン１１３ｄが選択されたことに応じて、記憶部１１に記憶されている装飾アイコン１１３のうちからチェーン型装飾用アイコン１１３ｄを選択する。
【００６０】
次に、制御部１４は、図７（ａ）に示すように、基本アイコン１１２とチェーン型装飾アイコン１１３ｄとを記憶部１１から読み出す。そして、制御部１４は、チェーン型装飾アイコン１１３ｄの表示サイズに応じて基本アイコン１１２の表示サイズを縮小し、縮小基本アイコン１１２ａを形成する（図示略）。
【００６１】
次に、制御部１４は、チェーン型装飾アイコン１１３ｄのように記憶部１１から読み出した装飾用アイコン１１３が下側装飾用アイコン２１３ｄと上側装飾用アイコン３１３ｄとを備える場合、縮小基本アイコン１１２ａの下方側に下側装飾用アイコン２１３ｄを重ねると共に、縮小基本アイコン１１２ａの上方側に上側装飾用アイコン３１３ｄを重ねることにより合成アイコン１１４ｄを生成する。
【００６２】
次に、制御部１４は、各機能に対応した各基本アイコン１１２のそれぞれについて合成アイコン１１４ｄを生成する。
【００６３】
このように、合成アイコン１１４ｄを生成した後、制御部１４は、図７（ｂ）に示すように、該合成アイコン１１４ｄを基本アイコン１１２に代えて表示部１３１に表示する。
【００６４】
本端末４によれば、基本アイコン１１２に対して下方側および上方側から装飾が施されるため、奥行きがある立体的な合成アイコン１１４ｄを生成することができる。
【００６５】
＜第５の実施形態＞
次に、本発明に係る携帯情報端末の第５の実施形態について図８を参照しつつ説明する。本実施形態では、合成アイコン１１４の生成において上記各実施形態と異なる場合について説明する。
【００６６】
なお、以下では、上記各実施形態と異なる構成について説明することとし、同一の構成については同一の符号を付し、その説明を省略する。
【００６７】
本実施形態の携帯情報端末（以下、本端末という）５における記憶部１１は、装飾用アイコン１１３として雪結晶型装飾アイコン１１３ｅを記憶している。この雪結晶型装飾アイコン１１３ｅは、基本アイコン１１２の下方側から重ねられる下側装飾用アイコン２１３ｅと、基本アイコン１１２の上方側から重ねられる上側装飾用アイコン３１３ｅとを備えている。本実施形態では、所有者によって装飾用アイコン１１３に該雪結晶型装飾用アイコン１１３ｅが選択されるものとして以下説明する。
【００６８】
本端末５において、制御部１４は、所有者によって装飾用アイコン１１３として雪結晶型装飾用アイコン１１３ｅが選択されたことに応じて、記憶部１１に記憶されている装飾アイコン１１３のうちから雪結晶型装飾用アイコン１１３ｅを選択する。
【００６９】
次に、制御部１４は、図８（ａ）に示すように、基本アイコン１１２と雪結晶型装飾アイコン１１３ｅとを記憶部１１から読み出す。そして、制御部１４は、雪結晶型装飾アイコン１１３ｅの表示サイズに応じて基本アイコン１１２の表示サイズを縮小し、縮小基本アイコン１１２ａを形成する（図示略）。
【００７０】
次に、制御部１４は、縮小基本アイコン１１２ａの下方側に下側装飾用アイコン２１３ｅを重ねると共に、縮小基本アイコン１１２ａの上方側に上側装飾用アイコン３１３ｅを重ねることにより合成アイコン１１４ｅを生成する。
【００７１】
次に、制御部１４は、各機能に対応した各基本アイコン１１２のそれぞれについて合成アイコン１１４ｅを生成する。
【００７２】
このように、合成アイコン１１４ｅを生成した後、制御部１４は、図８（ｂ）に示すように、該合成アイコン１１４ｅを基本アイコン１１２に代えて表示部１３１に表示する。
【００７３】
本端末５によれば、他のデザインの装飾アイコン１１３であっても、奥行きがある立体的な合成アイコン１１４ｅを生成することができる。
【００７４】
＜第６の実施形態＞
次に、本発明に係る携帯情報端末の第６の実施形態について図９を参照しつつ説明する。本実施形態では、表示部１３１に表示されている背景画像１１５に関連付けられた装飾用アイコン１１３により合成アイコン１１４を生成する場合について説明する。
【００７５】
なお、以下では、上記各実施形態と異なる構成について説明することとし、同一の構成については同一の符号を付し、その説明を省略する。
【００７６】
本実施形態の携帯情報端末（以下、本端末という）６における記憶部１１は、図９に示すように、表示部１３１に表示される複数種類の背景画像１１５と、複数種類の装飾用アイコン１１３とを記憶している。また、この記憶部１１は、各背景画像１１５と各装飾用アイコン１１３とをそれぞれ関連付けて管理する管理テーブル１１６を記憶している。また、このように記憶部１１に管理テーブル１１６が記憶されている場合、アイコン選択部１４１として作動する制御部１４は、表示部１３１に表示されている背景画像１１５を認識し、管理テーブル１１６に基づいて該背景画像１１５に関連付けられた装飾用アイコン１１３を選択する。
【００７７】
本端末６において、制御部１４は、アイコン合成アプリ１１１の動作プログラムに基づいて、まず、表示部１３１に表示されている背景画像１１５を認識する。本実施形態では、表示部１３１に表示されている背景画像１１５がイルカ画像であるものとする（図９（ｂ）参照）。
【００７８】
次に、制御部１４は、管理テーブル１１６に基づいて上述で認識したイルカ画像に関連付けられた泡型装飾用アイコン１１３ａを装飾用アイコン１１３のうちから選択する。
【００７９】
次に、制御部１４は、図３に示すように、基本アイコン１１２と上述で選択した泡型装飾用アイコン１１３ａとを記憶部１１から読み出す。そして、制御部１４は、泡型装飾用アイコン１１３ａの表示サイズに応じて基本アイコン１１２の表示サイズを縮小して、縮小基本アイコン１１２ａを形成する。
【００８０】
次に、制御部１４は、互いの中心を合わせる態様で、縮小基本アイコン１１２ａに泡型装飾用アイコン１１３ａを上方側から重ねて合成アイコン１１４ａを生成する。
【００８１】
次に、制御部１４は、各機能に対応した各基本アイコン１１２のそれぞれについて合成アイコン１１４ａを生成する。
【００８２】
このように、合成アイコン１１４ａを生成した後、制御部１４は、図４（ｂ）に示すように、該合成アイコン１１４ａを基本アイコン１１２に代えて表示部１３１に表示する。
【００８３】
以上により、背景画像１１５に関連付けられた装飾用アイコン１１３を用いて合成アイコン１１４が生成されるため、背景画像１１５に連動した合成アイコン１１４によってアイコンをカスタマイズすることができる。
【００８４】
なお、上記第１〜６実施形態において、装飾用アイコン１１３が泡型、カメ型、ハート型、チェーン型、雪結晶型である場合について説明したが、その他のパターンであってもよい。
【００８５】
また、表示部１３１に表示される全部のアイコンがカスタマイズされる場合について説明したが、一部のアイコンだけであってもよい。
【００８６】
また、基本アイコン１１２の表示サイズを縮小する場合について説明したが、拡大してもよい。あるいは、基本アイコン１１２の表示サイズを変更しなくてもよい。
【００８７】
また、制御部１４が基本アイコン１１２の表示サイズを変更（縮小）する場合について説明したが、基本アイコン１１２の表示サイズを変更するように予め設定していてもよい。
【００８８】
また、基本アイコン１１２をそのまま利用して合成アイコン１１４を生成する場合について説明したが、基本アイコン１１２のデータを複製してなるコピーアイコンを利用して合成アイコン１１４を生成するようにしてもよい。
【００８９】
また、制御部１４は、図４〜８に示すように、各アイコンの下方に付されるアイコンテキストを表示するか否かについての設定（カスタマイズ）を受け付けるようにしてもよい。この場合、例えば、図２（ａ）に示すように、所有者によりアイコンテキストの設定１３３が選択された場合、制御部１４は、アイコンテキストを表示するか否かを入出力部１３を介して所有者に入力させることにより受け付ける。
【００９０】
また、第１、６の実施形態において、合成アイコン１１４の生成に際し、基本アイコン１１２に装飾用アイコン１１３を上方側から重ねる場合について説明したが、下方側から重ねるようにしてもよい。また、第２、３の実施形態においては、基本アイコン１１２に装飾用アイコン１１３を下方側から重ねる場合について説明したが、上方側から重ねるようにしてもよい。
【００９１】
また、第１、４〜６の実施形態において、合成アイコン１１４の生成に際し、基本アイコン１１２と装飾用アイコン１１３との中心を合わせる態様で合成する場合について説明したが、互いの中心をずらす態様で合成するようにしてもよい。また、第２、３の実施形態においては、互いの中心をずらす態様で合成する場合について説明したが、互いの中心を合わせる態様で合成するようにしてもよい。
【００９２】
また、縮小基本アイコン１１２ａが、第２の実施形態においては装飾用アイコン１１３の右上側、第３の実施形態においては装飾用アイコン１１３の右下側に配置される場合について説明したが、装飾用アイコン１１３に対して任意の位置に配置されるようにしてもよい。
【００９３】
また、第６の実施形態において、管理テーブル１１６における背景画像１１５と装飾用アイコン１１３との関連付けは、図９（ｂ）で示したものに限られるものではなく、背景画像１１５と装飾用アイコン１１３との関連付けは任意で設定することが可能である。
【００９４】
また、携帯情報端末１〜６は、スマートフォンである場合について説明したが、携帯電話機あるいはＰＤＡ等のその他の携帯情報端末であってもよい。
【００９５】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【符号の説明】
【００９６】
１〜６…本携帯情報端末
１１…記憶部
１１１…アイコン合成アプリ
１１２…基本アイコン
１１３…装飾用アイコン
１１４…合成アイコン
１１５…背景画像
１１６…管理テーブル
１２…通信部
１３…入出力部
１３１…表示部
１３２…アイコン画像の選択項目
１４…制御部
１４１…アイコン選択部
１４２…アイコン合成部
【図１】
2013186525.tif 000003
【図２】
2013186525.tif 000004
【図３】
2013186525.tif 000005
【図４】
2013186525.tif 000006
【図５】
2013186525.tif 000007
【図６】
2013186525.tif 000008
【図７】
2013186525.tif 000009
【図８】
2013186525.tif 000010
【図９】
2013186525.tif 000011